(57)【要約】      （修正有）【課題】レンズの下縁を吊支するバンドの本来の強度を発揮させ、より確実に安心して使用できるバンド止着構造を持ったハーフリム眼鏡のレンズ止着機構を提案する事。【解決手段】レンズ１のヤゲン溝１１・バンド溝１２に平行して穿設された長穴のバンド嵌挿孔と、それに交差する第２のバンド嵌挿孔を有する、レンズ止着部５を形成し、バンド４にキズがつかずにレンズを確実に吊支するという技術的手段を採用した。【効果】レンズ止着部にバンドを嵌挿してバンドを下方に延出させる事により、従来あった、リムの角にバンドが当たりキズが付き、最終的に切断するという事がなく、バンドの本来持っている強度を発揮する事ができるので、安心して確実にレンズを吊支する事ができる。【選択図】図１
2004271948.tif 000002
【特許請求の範囲】
【請求項１】
上縁にヤゲン溝１１、下縁にバンド溝１２が形成されたレンズ１・１を、内側面に嵌合溝２２が形成されたリム２・２とブリッジＢにより左右対称に接合されたフレームに、前記両リム２・２の嵌合溝と前記レンズ１・１のヤゲン溝１１との双方に嵌合状態に介装された異形合成樹脂のガイドクッション材３をレンズ１のヤゲン溝に嵌合して、リム２・２の両端に当該レンズ１・１を吊支するバンド４・４とを含んで構成され、これら左右のリム２・２の両端には、リムと一体形成されたレンズ止着部５が形成されている。そのレンズ止着部には、リムの外側面に嵌合溝２２に沿って穿設された長穴のバンド嵌挿孔５１を形成し、その嵌挿孔５１の下面で交差するようにリム前面からリム後面に貫通した第２のバンド嵌挿孔５２が形成し、構成されている。バンド４の先端を両リムの両先端に形成されているレンズ止着部５のバンド嵌挿孔５１のバンド挿入口５１ａより挿入し５１ｂより出てきたバンドをレンズ止着部５に添わせた状態でひっぱり、再びリム前面に穿設されているバンド嵌挿孔５２に挿入する事により挿入したバンドが、嵌挿孔５１が長穴で形成されているために、嵌挿孔５１にすでに挿通されているバンドの下側を挿通する事になる。最後にバンド本体をＵの方向へひっぱる事により、レンズ止着部内において、バンド嵌挿孔５１に挿通されているバンド部分が同じくバンド嵌挿孔５２より挿通されて交差しているバンドを押圧する事になり、ひっぱる事により更にしめつけが強力になる。その上、下のバンドがクッションの役目も果たし、レンズ止着部により、バンドのキズ付きをも防いでいる。この事により、バンド本来の強度を発揮する事ができる事を特徴とする、ハーフリム眼鏡のレンズ止着機構。
【請求項２】
リムとは独立して形成されたレンズ止着部５に一体成形されたアームを、リムに形成されている嵌合溝に挿通し、アームの先端に形成されている係止部分５Ｂをリムに穿設された取付孔６のところで９０度回転させる事により、取付孔６に係止部分５Ｂが嵌着しレンズ止着部５を固定させる事を特徴とする、請求項１記載のハーフリム眼鏡のレンズ止着機構。
【請求項３】
レンズ止着部５に一体成形されたアーム５Ａの先端をリム外側面に穿設されているアーム取付孔６に嵌着させ、レンズを止着するレンズ止着機構であるが、従来のハーフリム眼鏡のナイロン糸嵌着孔を利用する事も可能であり、このレンズ止着部を利用する事により、従来のハーフリム眼鏡のままで、従来の問題点であったナイロン糸が切れやすい事を解決する事ができる事を特徴とする、請求項１又は２記載のハーフリム眼鏡のレンズ止着機構。
【請求項４】
レンズ止着部の状態であるが、ハート型や丸型、あるいは幾何学形状に製作して、装飾性を付与した事を特徴とする、請求項２又は３に記載のハーフリム眼鏡のレンズ止着機構。
【請求項５】
レンズ止着部が、書類を止めるクリップのように一本の丸い針金で形成されているレンズ止着部、この事により、非常に安いコストで作製する事が可能である事を特徴とする、請求項１，２，３記載のレンズ止着機構。
【発明の詳細な説明】
【０００１】
【発明の属する技術分野】
本発明はハーフリム眼鏡の改良であり、更に詳しくはレンズの下縁もしくは上縁を吊支するバンドの強度を従来の方式よりも２倍以上の強度を発揮させる事に成功し、バンドの本来の持てる強度を発揮させる事ができ、より確実に安全にレンズを吊支する事をできるように構成したハーフリム眼鏡のレンズ止着機構に関するものである。
【０００２】
【従来の技術】
最近、眼鏡の軽量化が計られる中、ハーフリム眼鏡よ呼ばれるリムバーの内側に嵌合溝を形成し、この嵌合溝にガイドクッション材を嵌挿させてレンズの上縁のヤゲン溝に介装させ、レンズの下縁をバンドで吊支するものが、軽くてデザイン的にもスッキリとしているために人気が高い。
【０００３】
従来のハーフリム眼鏡のレンズ止着にあっては、両リム両先端部にバンド装着孔を２つずつ形成し、線状のバンドをレンズの下縁のバンド溝に嵌め込み、装着孔にバンドを差し通して装着する事により、リムにレンズを吊支しているものが多くみられる。
【０００４】
しかし、このように両リムの両先端に形成された２つずつの装着孔にバンドを挿通してレンズを吊支する場合、このバンドは鋭角的に何度も折曲され、且つ、レンズ保持の為に高い張力が付加されており、金属製のリムを装着孔の角にあたる事により、バンドにキズがついて使用中において徐々に損傷が進行してついには切断してしまうという不都合が発生した。
【０００５】
【発明が解決しようとする課題】
本発明は、従来のハーフリム眼鏡のレンズ止着機構に前記の如き問題がある事に鑑みて試されたものであり、その目的とするところは、レンズを保持するバンドをキズつける事なく、本来の強度を１００％発揮させて、より確実に安全にレンズを止着できるように構成したレンズ止着機構を提供する事を技術的課題とする。
【課題を解決するための手段】
【０００６】
本発明が上記課題を解決するために試行錯誤を重ねた結果、ハーフリム眼鏡のレンズ止着部において、バンド嵌挿口にバンドを装着するにあたり、バンドにキズがつかないような構造にする事により、解決する事を見出し、この知見に基づいてこの発明を完成させたのである。
【０００７】
即ち、本発明のレンズ止着部５は、リムに沿って穿設された長穴のバンド嵌挿孔５１と、その長穴と交差する形でリム前面より後面にわたって貫通されたバンド嵌挿孔５２とで構成されており、バンド４の先端をバンド嵌挿孔５１のバンド挿入孔５１ａより挿入し、５１ｂより出てきたバンドをレンズ止着部に添わせた状態でひっぱり、再び、交差状態で形成されているバンド嵌挿孔５２に挿入する事により挿入したバンド先端は、バンド嵌挿孔５１にすでに挿通されているバンドの下側を挿通する事になる。その後、バンド４の反対側を引きしめる事により、バンドが確実にレンズ止着部に嵌着されるという技術的な手段を採用した。
【０００８】
その事により、従来のハーフリム眼鏡にあったリムに穿設されたバンド縫着孔の角によってバンドがキズつく事を防止する事ができ、更にバンドの上にバンドを重ねて嵌着させる事により、バンド自体がクッションとなりバンド本来の持っている強度を発揮して、切断する事を防ぐという技術的手段を採用した。
【０００９】
更にまた、本発明は上記課題を解決するために必要に応じて上記手段に加え、レンズ止着部を箱足やエンドピースと一体形成する事も可能であり、又、レンズ止着部だけを部品単体として構成し、アームと共に一体形成して従来のナイロールフレームに穿設されたナイロン糸嵌挿孔に嵌着させるという事もできる技術的手段を採用した。
【００１０】
【発明の実施の形態】
本発明の実施形態を具体的に図示した図面に基づいて更に詳細に説明する。
【００１１】
図１において符号１で指示するものはレンズであり、このレンズ１は上縁にヤゲン溝１１、略下縁にバンド溝１２が形成されている。
【００１２】
符号２で指示するものはリムであり、超弾性合金で作製し、弧端近傍には後出のレンズ止着部５が一体成形されている。
【００１３】
符号５で指示するものは、本発明の特徴であるレンズ止着孔５１と、それと交差する形で形成されている第２のバンド嵌挿孔５２とで構成されており、図２・３・４でバンドの嵌着方法を示しているが、レンズ止着部内でバンド自体を交差させる事により、バンドを引っ張れば引っ張るほど、バンド自体がバンドを押圧する事になる。更に、下側のバンドがクッションとしての役割も果たし、バンド挿入孔の角部分に当たって摩擦され、キズつくといった事がないので、バンドの本来の強度を発揮する事ができる。
【００１４】
本発明は概ね上記のように構成されるが、本発明は図示の実施形態に限定されるものではない。「特許請求の範囲」の記載内において種々の変更が可能であって、例えば、リムの使用材料は超弾性合金に限らず、その他の金属や合成樹脂材料を採用してもいい。またレンズ止着部の形状においても様々な形状に設計変更してもよく、何れのものも本発明の技術的範囲に属する。
【００１５】
【発明の効果】
以上、実施形態をもって説明したとおり、本発明においてはレンズを吊支するレンズ止着部に形成された２つの嵌挿孔にバンドを嵌通させ、バンドを下方に延出させる事により、リムの装着孔の角に当たってバンドにキズがつき切断してしまう事がなく、バンドの持つ強度を発揮させる事ができる。
【００１６】
また、バンド本来の強度を発揮する事ができるので、今までにあった使用中にバンドが切れる事はない。この事は安全に安心して使用できるという利用価値は頗る高いものがある。
【図面の簡単な説明】
【図１】本発明の実施形態の構造を表す全体斜視図である。
【図２】本発明の実施形態のリム先端のレンズ止着部分の拡大斜視図である。
【図３】本発明のレンズ止着部にバンドを装着する手順を正面から示した拡大図である。
【図４】本発明のレンズ止着部にバンドを装着する手順を側面から示した拡大図である。
【図５】レンズ止着部が箱足やエンドピース又は、リムより独立して金属又は、合成樹脂材料で成形されている拡大図である。又、止着部を装飾用としても活用できる。
【図６】リムの嵌挿溝を利用して止着部を嵌着させる方法を示した図である。
【図７】レンズ止着部が一本の丸い針金で形成されている事を示した図である。
【図８】図７で示したレンズ止着部のナイロン糸装着の手順を示した図である。
【図９】従来のハーフリム眼鏡のレンズ止着機構をあらわす正面図であり、側面図と止着部の拡大図である。
【符号の説明】
１      レンズ
１１    ヤゲン溝
１２    バンド溝
２      リム
２２    嵌合溝
３      ガイドクッション材
４      バンド
４１    バンド線状部
５      レンズ止着部
５１    バンド嵌挿孔
５２    バンド嵌挿孔
５１ａ  バンド挿入口
５１ｂ  バンド取り出し口
５２ａ  バンド挿入口
５２ｂ  バンド取り出し口
５Ａ    レンズ止着部嵌着アーム
５Ｂ    レンズ止着部嵌着アーム係止部
６      アーム嵌着孔
Ｂ      ブリッジ
Ｔ      テンプル
Ｐ      箱足
Ｅ      エンドピース
Ｕ      バンドを下方に引っ張る
【図１】
2004271948.tif 000003
【図２】
2004271948.tif 000004
【図３】
2004271948.tif 000005
【図４】
2004271948.tif 000006
【図５】
2004271948.tif 000007
【図６】
2004271948.tif 000008
【図７】
2004271948.tif 000009
【図８】
2004271948.tif 000010
【図９】
2004271948.tif 000011